(57)【要約】【課題】部品点数の増大を招くことなく１枚のシートを折り曲げるだけで、段状に並ぶ複数の陳列物保持部を簡単且つ確実に所定形状に形成することができ、この組立て形状を確実に維持することができる陳列用台紙を提供する。【解決手段】少なくとも１つの陳列物保持部１０において、側方支持部２６または前方支持部２５の一方に折り目を介して左右方向外側に連なる突出片３０を設けるとともに、側方支持部２６または前方支持部２５の他方に、前方支持部２５と側方支持部２６との間に形成される折り曲げ角度が所定角度であるときに該角度が維持されるように突出片３０を係止可能な係止部３６を設ける。【選択図】図４
2013034512.tif 000002
【特許請求の範囲】
【請求項１】
１枚のシートを折り曲げることで組み立てられ、組み立てられた状態において吊り下げられて使用される陳列用台紙であって、
使用時において段状に並ぶように配置される複数の陳列物保持部と、
該陳列物保持部毎に左右一対、それぞれ上下方向に延びるように形成された切り込みと、を有し、
各陳列物保持部において、前記左右の切り込みで挟まれた台紙部分は、それぞれ左右方向に延びる上下一対の折り目に沿って段状に折り込むことで、該上側の折り目よりも上側部分からなり使用時において略鉛直方向に沿って配設される後方支持部と、前記上側の折り目よりも下側部分からなり使用時において前記後方支持部の下端から前面側に向かって延びるように配設される底面支持部とに区分され、
各陳列物保持部において、左右方向において前記左右の切り込みよりも外側の台紙部分は、それぞれ左右方向に延びる上下一対の折り目に沿って段状に折り込むことで、該下側の折り目よりも下側部分からなり使用時において部分的に前記後方支持部に対向配置される前方支持部と、前記下側の折り目よりも上側部分からなり使用時において前記前方支持部の上端から後面側に向かって延びるように配設される側方支持部とに区分され、
少なくとも１つの前記陳列物保持部は、前記側方支持部または前記前方支持部の一方に折り目を介して左右方向外側に連なる突出片と、前記側方支持部または前記前方支持部の他方に、前記前方支持部と前記側方支持部との間に形成される折り曲げ角度が所定角度であるときに該角度が維持されるように前記突出片を係止可能に設けられた係止部とを有することを特徴とする陳列用台紙。
【請求項２】
前記係止部は、前記側方支持部または前記前方支持部の前記他方に穿設された孔で構成され、
前記突出片に、前記孔に挿通された状態で該孔の周縁に係止可能な爪部が設けられていることを特徴とする請求項１に記載の陳列用台紙。
【請求項３】
前記係止部は、前記側方支持部または前記前方支持部の前記他方において左右方向外側へ突設された突出部で構成され、
前記突出片に、前記突出部に係止可能な爪部が設けられていることを特徴とする請求項１に記載の陳列用台紙。
【発明の詳細な説明】
【技術分野】
【０００１】
本発明は、陳列棚の側面や店舗の壁等の任意の場所に吊り下げられた状態で、物品を保持して陳列するために使用される陳列用台紙に関する。
【背景技術】
【０００２】
店舗等において、陳列棚の側面や壁等に陳列用の台紙を吊り下げて、該台紙に複数の商品を保持させて陳列することがある。この場合、図１０に示すように、段状に組み立てられる陳列用台紙２０１を使用して、各段の陳列物保持部２１０（２１０ａ，２１０ｂ，２１０ｃ，２１０ｄ）に商品２５０を保持させて陳列することがある。
【０００３】
図１０に示す台紙２０１は、上下方向に細長い１枚のシートを組み立てて使用されるものである。具体的に、台紙２０１には、左右一対の上下方向の切り込み２１２，２１３が上下方向に間隔を空けて複数組形成されており、左右の切り込み２１２，２１３で挟まれた部分と、左右方向において切り込み２１２，２１３よりも外側の部分とがそれぞれ段状に折り込まれることで、陳列物保持部２１０が形成されるようになっている。
【０００４】
このように形成された各陳列物保持部２１０は、左右方向において切り込み２１２，２１３よりも外側の部分からなる左右一対の前方支持部２２５（２２５ａ，２２５ｂ）および左右一対の側方支持部２２６（２２６ａ，２２６ｂ）と、左右の切り込み２１２，２１３で挟まれた部分からなる底面支持部２２２および後方支持部２２１とを有し、底面支持部２２２に載置された商品２５０を、左右の前方支持部２２５、後方支持部２２１及び左右の側方支持部２２６によりそれぞれ前方、後方および側方から支持できるようになっている。
【０００５】
この台紙２０１において、各陳列物保持部２１０は、商品２５０が収められることにより形状が維持されるようになっており、陳列物保持部２１０の形状を維持するためのパーツ等が別途用いられることはない。すなわち、打ち抜き加工された１枚のシートを折り曲げるだけで、簡単に台紙２０１を組み立てることができるようになっている。
【０００６】
なお、この種の陳列用台紙は、例えば特許文献１及び２に開示されている。
【先行技術文献】
【特許文献】
【０００７】
【特許文献１】実開昭５４−９８１９７号公報
【特許文献２】実開昭６０−１７１６９号公報
【発明の概要】
【発明が解決しようとする課題】
【０００８】
しかしながら、図１０に示す前記台紙２０１では、商品２５０が適切にセットされることで初めて陳列物保持部２１０が所定形状に維持され得るため、商品２５０のセットの仕方によっては陳列物保持部２１０の形状が崩れてしまうことがある。
【０００９】
また、図１１に示すように、各陳列物保持部２１０から商品２５０を抜き取ると、陳列物保持部２１０の形状が著しく崩れやすくなる。なお、この傾向は、台紙２０１の自重の影響を受けやすい上段の陳列物保持部２１０ほど顕著となる。そのため、商品２５０が抜き取られた陳列物保持部２１０が平坦な形状となって見栄えが悪くなるとともに、商品２５０を再セットする際、形状が一旦崩れた陳列物保持部２１０を所定形状に戻すように台紙２０１を折り直す手間がかかる問題がある。
【００１０】
このような問題の解決策として、形状を維持するためのパーツを各陳列物保持部２１０に取り付けたり、全ての陳列物保持部２１０に１本の紐を通して締め上げたりすることが考えられる。
【００１１】
しかし、このような解決策を採用すると、台紙２０１に別パーツを貼り付けたり紐を通したりするなどといった煩雑な作業を強いられるとともに、部品点数が増加してコストの増大を招いてしまう。
【００１２】
そこで、本発明は、部品点数の増大を招くことなく１枚のシートを折り曲げるだけで、段状に並ぶ複数の陳列物保持部を簡単且つ確実に所定形状に形成することができ、この組立て形状を確実に維持することができる陳列用台紙を提供することを課題とする。
【課題を解決するための手段】
【００１３】
上記課題を解決するため、本発明に係る陳列用台紙は、
１枚のシートを折り曲げることで組み立てられ、組み立てられた状態において吊り下げられて使用される陳列用台紙であって、
使用時において段状に並ぶように配置される複数の陳列物保持部と、
該陳列物保持部毎に左右一対、それぞれ上下方向に延びるように形成された切り込みと、を有し、
各陳列物保持部において、前記左右の切り込みで挟まれた台紙部分は、それぞれ左右方向に延びる上下一対の折り目に沿って段状に折り込むことで、該上側の折り目よりも上側部分からなり使用時において略鉛直方向に沿って配設される後方支持部と、前記上側の折り目よりも下側部分からなり使用時において前記後方支持部の下端から前面側に向かって延びるように配設される底面支持部とに区分され、
各陳列物保持部において、左右方向において前記左右の切り込みよりも外側の台紙部分は、それぞれ左右方向に延びる上下一対の折り目に沿って段状に折り込むことで、該下側の折り目よりも下側部分からなり使用時において部分的に前記後方支持部に対向配置される前方支持部と、前記下側の折り目よりも上側部分からなり使用時において前記前方支持部の上端から後面側に向かって延びるように配設される側方支持部とに区分され、
少なくとも１つの前記陳列物保持部は、前記側方支持部または前記前方支持部の一方に折り目を介して左右方向外側に連なる突出片と、前記側方支持部または前記前方支持部の他方に、前記前方支持部と前記側方支持部との間に形成される折り曲げ角度が所定角度であるときに該角度が維持されるように前記突出片を係止可能に設けられた係止部とを有することを特徴とする。
【００１４】
なお、特段の説明がある場合を除いて、本願明細書において、「前」、「後」、「前後」、「右」、「左」及び「左右」を含む方向を示す用語は、組立状態であるか否かに関わらず、吊り下げられた状態の陳列用台紙の正面側を「前」、背面側を「後」とした場合の方向を指すものとする。
【００１５】
また、本願明細書において、陳列用台紙の「使用時」又は「使用状態」という用語は、陳列用台紙が所定形状に組み立てられた状態で吊り下げられているとき又は状態を意味するものとする。
【発明の効果】
【００１６】
本発明によれば、各陳列物保持部において、前方支持部と側方支持部との折り曲げ角度と、後方支持部と底面支持部との折り曲げ角度とが所定角度となるように折り曲げた状態で、側方支持部または前方支持部の一方に連なる突出片を、側方支持部または前方支持部の他方に設けられた係止部に係止することで、上記の両折り曲げ角度を所定角度に維持することができるため、作業者の技量に関わらず、陳列物保持部を確実に所定形状に組み立てられる。また、陳列物保持部の形状を維持するために別パーツを貼り付けたり紐を通したりしなくて済むため、上述のように折り曲げて突出片を係止部に係止するだけで簡単に台紙を組み立てることができるとともに、部品点数の増加を回避して、コストの抑制を図ることができる。
【００１７】
さらに、突出片と係止部との係止状態が維持されている限り、陳列物保持部の形状は所定形状に維持されるため、一旦セットされた陳列物が陳列物保持部から取り外されても、これによって陳列物保持部の形状が崩れることはない。よって、従来のように陳列物が抜き取られた陳列物保持部が平坦な形状となって見栄えが悪くなることを回避できるとともに、陳列物を再セットする際に陳列物保持部が所定形状となるように折り直す手間を省くことができる。
【００１８】
またさらに、１枚のシートを折り曲げて前記突出片を前記係止部に係止するだけで台紙が組み立てられるため、該台紙の組立状態を容易に解除することができる。
【図面の簡単な説明】
【００１９】
【図１】第１の実施形態に係る陳列用台紙の組立て前の状態を示す平面図である。
【図２】図１に示す台紙の陳列物保持部を示す拡大図である。
【図３】図１に示す台紙の組立て途中の状態を示す斜視図である。
【図４】図１の示す台紙の使用状態を示す斜視図である。
【図５】第２の実施形態に係る陳列用台紙の組立て前の状態を示す平面図である。
【図６】図５に示す台紙の陳列物保持部を示す拡大図である。
【図７】図５に示す台紙の組立て途中の状態を示す斜視図である。
【図８】図５に示す台紙の使用状態を示す斜視図である。
【図９】第３の実施形態に係る陳列用台紙の使用状態を示す斜視図である。
【図１０】従来の陳列用台紙の一例を示す斜視図である。
【図１１】図１０に示す台紙から商品を取り外した状態を示す斜視図である。
【発明を実施するための形態】
【００２０】
以下、図面を参照しながら本発明の好適な実施形態を説明する。
【００２１】
［第１の実施形態］
図１〜図４を参照しながら、第１の実施形態に係る陳列用台紙１について説明する。
【００２２】
先ず、図１及び図２を参照しながら、組立て前の状態における陳列用台紙１の構成について説明する。
【００２３】
図１に示すように、台紙１は、打ち抜き加工された１枚のシートで構成され、該シートを折り曲げることで所定形状に組み立てられる。また、台紙１は、後述のように所定形状に組み立てられた状態において陳列棚の側面や壁等の任意の場所に吊り下げられて使用される（図４参照）。台紙１の材質は特に限定されないが、例えば厚紙が用いられる。
【００２４】
台紙１を構成するシートは概略細長い矩形である。台紙１は、吊り下げ状態において上端に配置される上端ベース部２と、該上端ベース部２の下側において組立て前の吊り下げ状態において上下方向に並ぶように、組立て状態においては段状に並ぶように配置される複数の陳列物保持部１０（１０ａ，１０ｂ，１０ｃ，１０ｄ）と、陳列物保持部１０毎に左右一対、それぞれ上下方向に延びるように形成された切り込み１２，１３と、を有する。
【００２５】
上端ベース部２の上端部には、例えば左右一対の穴４が形成されており、台紙１は、これらの穴４に通される例えば紐６を介して、陳列棚の側面や店舗の壁面などといった任意の場所に吊り下げられて使用される（図４参照）。
【００２６】
図２に示すように、各陳列物保持部１０において、前記左右の切り込み１２，１３は左右対称に形成され、各切り込み１２，１３は、上下方向に延びる上側直線部１４，１５と、該上側直線部１４，１５の下端に曲線部１６，１７を介して連なり下方に延びる下側直線部１８，１９とを有する。下側直線部１８，１９は、上側直線部１４，１５に比べて左右方向中央寄りに配設されており、これにより、左右の下側直線部１８，１９間の距離は、左右の上側直線部１４，１５間の距離に比べて小さくなっている。
【００２７】
各陳列物保持部１０において、左右の切り込み１２，１３で挟まれた台紙部分２０には、それぞれ左右方向に延びる上下一対の折り目４１，４２が設けられている。上側の折り目４１は、左右の下側直線部１８，１９の上端部間に跨って設けられ、下側の折り目４２は、左右の下側直線部１８，１９の下端部間に跨って設けられている。なお、これら上下の折り目４１，４２に沿って、それぞれ複数の切り目５１，５２が間隔を空けて設けられており、これにより、該折り目４１，４２に沿った台紙１の折り曲げが容易になし得るようになっている。
【００２８】
この台紙部分２０は、前記上下の折り目４１，４２に沿って段状に折り込むことで、上側の折り目４１よりも上側部分からなり使用状態において略鉛直方向に沿って配設される後方支持部２１と、上側の折り目４１よりも下側部分からなり使用時において後方支持部２１の下端から前面側に向かって延びるように配設される底面支持部２２とに区分される（図３参照）。
【００２９】
一方、左右方向において左右の切り込み１２，１３よりも外側の台紙部分２４（２４ａ，２４ｂ）にも、それぞれ左右方向に延びる上下一対の折り目４３（４３ａ，４３ｂ），４４（４４ａ，４４ｂ）が設けられている。上側の折り目４３は、上側直線部１４，１５の上端部から左右方向外側に向かって延設され、下側の折り目４４は、上側直線部１４，１５の下端部から左右方向外側に向かって延設されている。
【００３０】
この台紙部分２４は、前記上下の折り目４３，４４に沿って段状に折り込むことで、下側の折り目４４よりも下側部分からなり使用時において略鉛直方向に沿って且つ部分的に前記後方支持部２１に対向して配設される前方支持部２５（２５ａ，２５ｂ）と、下側の折り目４４よりも上側部分からなり使用時において前方支持部２５の上端から後面側に向かって延びるように配設される側方支持部２６（２６ａ，２６ｂ）とに区分される（図３参照）。具体的に、前方支持部２５は、その左右方向の内側縁部が後方支持部２１の外側縁部に対向配置される。
【００３１】
また、各陳列物保持部１０は、側方支持部２６に折り目４５（４５ａ，４５ｂ）を介して左右方向外側に連なる突出片３０（３０ａ，３０ｂ）と、前方支持部２５に設けられた係止部３６（３６ａ，３６ｂ）とを有する。
【００３２】
係止部３６は、前方支持部２５と側方支持部２６との間の折り目４４に沿った折り曲げ角度が所定角度（本実施形態では９０°）である状態で該角度が維持されるように突出片３０を係止可能となっている。本実施形態において、係止部３６は、前方支持部２５において左右方向外側へ突設された突出部で構成されている。該突出部３６の下縁部は、左右方向外側に向かって斜め下方へ傾斜して延設され、該突出部３６の基端部下縁に突出片３０が係止されるようになっている（図４参照）。
【００３３】
突出片３０は、折り目４５の上端部に位置する頂点と、折り目４５の下端部に位置する頂点と、折り目４５よりも左右方向外側に位置する頂点とを有する略三角形状に形成され、該突出片３０の左右方向外側端部に、前記突出部３６に係止可能な爪部３２が設けられている。該爪部３２は、突出片３０の下側において左右方向内側に向かって延設されている。
【００３４】
図３に示すように、台紙１を組み立てる際は、各陳列物保持部１０において、左右の切り込み１２，１３で挟まれた台紙部分２０を、上側の折り目４１に沿って谷折り、下側の折り目４２に沿って山折りでそれぞれ略直角に折り曲げるとともに、左右方向において左右の切り込み１２，１３よりも外側の台紙部分２４を、上側の折り目４３に沿って谷折り、下側の折り目４４に沿って山折りでそれぞれ略直角に折り曲げる。なお、本明細書において、「山折り」及び「谷折り」という台紙１を折り曲げる方向を示す用語は、台紙１を正面側から見たときの方向を指すものとする。
【００３５】
これにより、左右の切り込み１２，１３で挟まれた台紙部分２０と、左右方向において左右の切り込み１２，１３よりも外側の台紙部分２４とは、互いに段違いとなるようにそれぞれ段状に折り曲げられた状態となる。
【００３６】
続いて、図４に示すように、各陳列物保持部１０において、突出片３０を折り目４５に沿って山折りで略直角に折り曲げて、該突出片３０先端の爪部３２を前方支持部２５の突出部３６の基部下縁に引っ掛けることにより、陳列用台紙１の組立てが完了する。
【００３７】
このようにして組み立てられた台紙１は、例えば紐６を介して任意の場所に吊り下げて使用することができ、使用状態において各陳列物保持部１０により陳列物５０を保持することができる。なお、本発明において、陳列物５０の種類は特に限定されるものでないが、例えば、直方体の包装箱で包装された商品などが、本実施形態に係る台紙１を用いて好適に保持された状態で陳列され得る。
【００３８】
各陳列物保持部１０において、陳列物５０は底面支持部２２に載置され、陳列物５０の前面の左右両端部が左右の前方支持部２５ａ，２５ｂにより、陳列物５０の後面全体が後方支持部２１により、陳列物５０の左右の側面が所定高さにおいて左右の側方支持部２６ａ，２６ｂによりそれぞれ支持されるようになっている。
【００３９】
爪部３２と突出部３６との係止状態は、折り目４４に沿った前方支持部２５と側方支持部２６との折り曲げ角度が略直角であるときのみ実現されるようになっている。また、前方支持部２５と側方支持部２６との折り曲げ角度が略直角であるときは、必然的に、折り目４１に沿った後方支持部２１と底面支持部２２との折り曲げ角度も略直角となる。
【００４０】
そのため、本実施形態によれば、作業者の技量に関わらず、陳列物保持部１０の形状が、陳列物５０がセットされる前から確実に所定形状となるように組み立てられる。また、陳列物保持部１０の形状を維持するために別パーツを貼り付けたり紐を通したりしなくても、上述のように折り曲げて爪部３６を突出部３６に引っ掛けるだけで簡単に台紙１を組み立てることができ、部品点数の増加を招くこともない。
【００４１】
さらに、爪部３２と突出部３６との係止状態が維持されている限り、陳列物保持部１０の形状は所定形状に維持されるため、一旦セットされた陳列物５０が陳列物保持部１０から取り外されても、これによって陳列物保持部１０の形状が崩れることはない。よって、従来のように陳列物５０が抜き取られた陳列物保持部１０が平坦な形状となって見栄えが悪くなることを回避できるとともに、陳列物５０を再セットする際に陳列物保持部１０が所定形状となるように折り直す手間を省くことができる。
【００４２】
またさらに、組立ての際に台紙１以外のパーツや接着剤等を使用しないため、各陳列物保持部１０の突出部３６から爪部３２を外すだけで、台紙１の組立状態を容易に解除することができる。
【００４３】
なお、第１の実施形態では、互いに係止される突出片３０と突出部３６とが各陳列物保持部１０の左右両側に設けられる場合について説明したが、突出片３０と突出部３６とは、各陳列物保持部１０の左右一方にのみ設けられるようにしてもよい。
【００４４】
［第２の実施形態］
続いて、図５〜図８を参照しながら、第２の実施形態に係る陳列用台紙５１について説明する。なお、第２の実施形態において、第１の実施形態と同様の構成については詳細な説明を省略する。また、図５〜図８において、第１の実施形態と同様の機能を有する部材には同符号を付してある。
【００４５】
図５に示すように、本実施形態に係る台紙５１も、打ち抜き加工された１枚のシートで構成され、該シートを折り曲げることで所定形状に組み立てられる。また、第１の実施形態と同様、台紙５１は、後述のように所定形状に組み立てられた状態において陳列棚の側面や壁等の任意の場所に吊り下げられて使用される（図８参照）。台紙５１の材質は特に限定されないが、例えば厚紙が用いられる。
【００４６】
第１の実施形態と同様、台紙５１を構成するシートは概略細長い矩形であり、台紙５１は、吊り下げ状態において上端に配置される上端ベース部２と、該上端ベース部２の下側において組立て前の吊り下げ状態において上下方向に並ぶように、組立て状態においては段状に並ぶように配置される複数の陳列物保持部１０（１０ａ，１０ｂ，１０ｃ，１０ｄ）と、陳列物保持部１０毎に左右一対、それぞれ上下方向に延びるように形成された切り込み１２，１３と、を有する。
【００４７】
また、図６に示すように、各陳列物保持部１０は、第１の実施形態と同様、後方支持部２１と、底面支持部２２と、左右一対の前方支持部２５（２５ａ，２５ｂ）と、左右一対の側方支持部２６（２６ａ，２６ｂ）とを有する。さらに、各側方支持部２６には、突出片３０（３０ａ，３０ｂ）が折り目４５（４５ａ，４５ｂ）を介して左右方向外側に連ねて設けられ、前方支持部２５には係止部８６（８６ａ，８６ｂ）が設けられている。
【００４８】
この係止部８６は、前方支持部２５と側方支持部２６との間の折り目４４に沿った折り曲げ角度が所定角度（本実施形態では９０°）である状態で該角度が維持されるように突出片３０を係止可能である点で、第１の実施形態に係る係止部３６と同様であるが、前方支持部２５に穿設された係止用孔で構成されている点で第１の実施形態と異なっている。
【００４９】
この係止用孔８６は上下方向に細長く形成されている。係止用孔８６の上縁は、左右方向内側に向かって上方へ傾斜して設けられ、この傾斜部の上端に鋭角のコーナーが形成されている。これより、突出片３０の爪部３２は、係止用孔８６に挿通された状態で該係止用孔８６の上縁の前記コーナー部に係止可能となっている（図８参照）。
【００５０】
なお、本実施形態では、前方支持部２５に係止用孔８６を形成するために、前方支持部２５は、左右方向において突出片３０の基部よりも外側へ膨出するように形成され、該膨出部に係止用孔８６が設けられている。
【００５１】
図７に示すように、台紙５１を組み立てる際は、第１の実施形態と同様、各陳列物保持部１０において、左右の切り込み１２，１３で挟まれた台紙部分２０を、上側の折り目４１に沿って谷折り、下側の折り目４２に沿って山折りでそれぞれ略直角に折り曲げるとともに、左右方向において左右の切り込み１２，１３よりも外側の台紙部分２４を、上側の折り目４３に沿って谷折り、下側の折り目４４に沿って山折りでそれぞれ略直角に折り曲げる。
【００５２】
これにより、左右の切り込み１２，１３で挟まれた台紙部分２０と、左右方向において左右の切り込み１２，１３よりも外側の台紙部分２４とは、互いに段違いとなるようにそれぞれ段状に折り曲げられた状態となる。
【００５３】
続いて、図８に示すように、各陳列物保持部１０において、突出片３０を折り目４５に沿って山折りで略直角に折り曲げるとともに、該突出片３０先端の爪部３２を前方支持部２５の係止用孔８６に差し込んで、この爪部３２の基部を係止用孔８６の上縁部に引っ掛けることにより、陳列用台紙５１の組立てが完了する。
【００５４】
この組立て状態において、爪部３２と係止用孔８６との係止状態は、第１の実施形態の係止状態と同様、折り目４４に沿った前方支持部２５と側方支持部２６との折り曲げ角度が略直角であるときのみ実現されるようになっている。また、前方支持部２５と側方支持部２６との折り曲げ角度が略直角であるときは、必然的に、折り目４１に沿った後方支持部２１と底面支持部２２との折り曲げ角度も略直角となる。
【００５５】
そのため、第１の実施形態と同様、作業者の技量に関わらず、陳列物保持部１０の形状が、陳列物５０がセットされる前から確実に所定形状となるように組み立てられる。また、陳列物保持部１０の形状を維持するために別パーツを貼り付けたり紐を通したりしなくても、上述のように折り曲げて爪部３６を係止用孔８６の上縁部に引っ掛けるだけで簡単に台紙５１を組み立てることができ、部品点数の増加を招くこともない。
【００５６】
さらに、本実施形態において、係止用孔８６の上縁部に係止された爪部３２は、上記のように細長く形成された係止用孔８６の周縁部により左右方向の移動が規制されることにより、係止用孔８６から誤って抜け外れ難くなっている。
【００５７】
また、第１の実施形態と同様、爪部３２と係止用孔８６との係止状態が維持されている限り、陳列物保持部１０の形状は所定形状に維持されるため、一旦セットされた陳列物５０が陳列物保持部１０から取り外されても、これによって陳列物保持部１０の形状が崩れることはない。よって、従来のように陳列物５０が抜き取られた陳列物保持部１０が平坦な形状となって見栄えが悪くなることを回避できるとともに、陳列物５０を再セットする際に陳列物保持部１０が所定形状となるように折り直す手間を省くことができる。
【００５８】
またさらに、第１の実施形態と同様、組立ての際に台紙５１以外のパーツや接着剤等を使用しないため、各陳列物保持部１０の係止用孔８６から爪部３２を外すだけで、台紙５１の組立状態を容易に解除することができる。
【００５９】
なお、第２の実施形態では、互いに係止される突出片３０と係止用孔８６とが各陳列物保持部１０の左右両側に設けられる場合について説明したが、突出片３０と係止用孔８６とは、各陳列物保持部１０の左右一方にのみ設けられるようにしてもよい。
【００６０】
［第３の実施形態］
次に、図９を参照しながら、第３の実施形態に係る陳列用台紙１０１について説明する。なお、第３の実施形態において、第１の実施形態と同様の構成については詳細な説明を省略する。また、図９において、第１の実施形態と同様の機能を有する部材には同符号を付してある。
【００６１】
本実施形態では、陳列物保持部１０が１列のみに並べて配設された第１及び第２の実施形態とは異なり、陳列物保持部１０（１０ｐ，１０ｑ，１０ｒ，１０ｓ，１０ｔ，１０ｕ，１０ｖ，１０ｗ）が左右２列に分かれて配設されている。
【００６２】
各陳列物保持部１０の基本的な構造は第１の実施形態と同様であるが、台紙１０１の正面から見て、左側の列に属する陳列物保持部１０ｐ，１０ｑ，１０ｒ，１０ｓにおける右側の前方支持部２５ｂと、右側の列に属する陳列物保持部１０ｔ，１０ｕ，１０ｖ，１０ｗにおける左側の前方支持部２５ａとは共通の台紙部分で構成され、当該前方支持部２５ｂ（２５ａ）に突出部３６は設けられていない。
【００６３】
同様に、左側の列に属する陳列物保持部１０ｐ，１０ｑ，１０ｒ，１０ｓにおける右側の側方支持部２６ｂと、右側の列に属する陳列物保持部１０ｔ，１０ｕ，１０ｖ，１０ｗにおける左側の側方支持部２６ａとは共通の台紙部分で構成され、当該側方支持部２６ｂ（２６ａ）に突出片３０は設けられていない。
【００６４】
すなわち、左側の列に属する陳列物保持部１０ｐ，１０ｑ，１０ｒ，１０ｓには、左側の前方支持部２５ａ及び側方支持部２６ａにのみ突出部３６ａ及び突出片３０ａがそれぞれ設けられ、右側の列に属する陳列物保持部１０ｔ，１０ｕ，１０ｖ，１０ｗには、右側の前方支持部２５ｂ及び側方支持部２６ｂにのみ突出部３６ｂ及び突出片３０ｂがそれぞれ設けられている。
【００６５】
かかる構成によっても、突出片３０の爪部３２と突出部３６との係止状態は、陳列物保持部１０が所定形状に組み立てられた状態でのみ実現され、この係止状態が維持される限り、陳列物保持部１０の形状は所定形状に維持されるため、第１の実施形態と同様の効果を得ることができる。
【００６６】
なお、第３の実施形態では、突出片３０の爪部３２を係止可能な係止部として、第１の実施形態と同様の突出部３６を設ける場合について説明したが、この突出部３６に代えて第２の実施形態と同様の係止用孔８６を設けて、該係止用孔８６に爪部３２を係止するようにしてもよい。
【００６７】
また、第３の実施形態では、陳列物保持部１０が左右２列に並べて配設される場合について説明したが、本発明は、陳列物保持部１０が左右３列以上に分かれて配設される場合にも同様に適用でき、この場合、左右両端の列に属する陳列物保持部１０にのみ突出片３０と前記係止部とを設けるようにすればよい。
【００６８】
以上、上述の実施形態を挙げて本発明を説明したが、本発明は上述の実施形態に限定されるものではない。
【００６９】
例えば、上述の実施形態では、最上段から最下段まで全段の陳列物保持部１０に突出片３０と係止部３６，８６を設ける構成について説明したが、本発明は、一部の段の陳列物保持部１０にのみ突出片３０と係止部３６，８６を設ける構成を含むものとする。この場合、特に形状が崩れやすい上段の陳列物保持部１０に優先的に突出片３０と係止部３６，８６とを設けることが好ましい。
【００７０】
また、上述の実施形態では、突出片３０を側方支持部２６に連ねて設けるとともに、係止部３６，８６を前方支持部２５に設ける場合について説明したが、本発明では、前方支持部２５に突出片３０を連ねて設けるとともに、側方支持部２６に係止部３６，８６を設けるようにしてもよい。
【００７１】
さらに、上述の実施形態では、突出片を係止するための係止部を突出部３６又は係止用孔８６で構成する場合について説明したが、本発明において、係止部の構成はこれらに限定されるものでなく、例えば、前方支持部２５又は側方支持部２６に形成されたスリットで係止部を構成してもよい。
【００７２】
加えて、上述の実施形態では、前方支持部２５と側方支持部２６との間の折り曲げ角度と、後方支持部２１と底面支持部２２との間の折り曲げ角度とが略直角である場合について説明したが、本発明は、これらの折り曲げ角度が鋭角または鈍角の所定角度である場合にも等しく適用することができる。
【符号の説明】
【００７３】
１，５１，１０１：陳列用台紙、１０：陳列物保持部、１２，１３：切り込み、２０：左右の切り込みで挟まれた部分、２１：後方支持部、２２：底面支持部、２４ａ，２４ｂ：左右の切り込みよりも外側の台紙部分、２５ａ，２５ｂ：前方支持部、２６ａ，２６ｂ：側方支持部、３０：突出片、３２：突出片の爪部、３６：突出部（係止部）、５０：陳列物、８６：係止用孔（係止部）。
【図１】
2013034512.tif 000003
【図２】
2013034512.tif 000004
【図３】
2013034512.tif 000005
【図４】
2013034512.tif 000006
【図５】
2013034512.tif 000007
【図６】
2013034512.tif 000008
【図７】
2013034512.tif 000009
【図８】
2013034512.tif 000010
【図９】
2013034512.tif 000011
【図１０】
2013034512.tif 000012
【図１１】
2013034512.tif 000013
【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
１枚のシートを折り曲げることで組み立てられ、組み立てられた状態において吊り下げられて使用される陳列用台紙であって、
使用時において段状に並ぶように配置される複数の陳列物保持部と、
該陳列物保持部毎に左右一対、それぞれ上下方向に延びるように形成された切り込みと、を有し、
各陳列物保持部において、前記左右の切り込みで挟まれた台紙部分は、それぞれ左右方向に延びる上下一対の折り目に沿って段状に折り込むことで、該上側の折り目よりも上側部分からなり使用時において略鉛直方向に沿って配設される後方支持部と、前記上側の折り目よりも下側部分からなり使用時において前記後方支持部の下端から前面側に向かって延びるように配設される底面支持部とに区分され、
各陳列物保持部において、左右方向において前記左右の切り込みよりも外側の台紙部分は、それぞれ左右方向に延びる上下一対の折り目に沿って段状に折り込むことで、該下側の折り目よりも下側部分からなり使用時において部分的に前記後方支持部に対向配置される前方支持部と、前記下側の折り目よりも上側部分からなり使用時において前記前方支持部の上端から後面側に向かって延びるように配設される側方支持部とに区分され、
少なくとも１つの前記陳列物保持部は、前記側方支持部に折り目を介して左右方向外側に連なる突出片と、上下方向に細長く延びるように前記前方支持部に穿設された係止用孔とを有し、
前記突出片は、前記前方支持部と前記側方支持部との間に形成される折り曲げ角度が所定角度であるときに該折り曲げ角度が維持されるように前記係止用孔に係止される爪部を備え、
該爪部と前記係止用孔との係止状態において、
前記突出片は、該突出片と前記側方支持部との間の前記折り目に沿って下側へ略直角に折り曲げられ且つ前記前方支持部に略直交する面に沿って配置された状態となり、且つ、
前記爪部は、前記突出片の前辺部の下端部から前面側且つ上方へ延びるように配置され、且つ、
前記爪部の基部は、該爪部と前記前辺部との間のくぼみ部において前記係止用孔の上縁部に係止されるように構成されていることを特徴とする陳列用台紙。
【請求項２】
前記係止用孔の左右方向内側縁部は上下方向に延設され、
前記係止用孔の上縁部は左右方向内側に向かって上方へ傾斜した方向に延設され、
前記係止用孔の前記左右方向内側縁部の上端と前記上縁部の上端との間に、前記爪部の基部が係止される鋭角のコーナー部が形成されていることを特徴とする請求項１に記載の陳列用台紙。
【手続補正２】
【補正対象書類名】明細書
【補正対象項目名】００１３
【補正方法】変更
【補正の内容】
【００１３】
上記課題を解決するため、本発明に係る陳列用台紙は、
１枚のシートを折り曲げることで組み立てられ、組み立てられた状態において吊り下げられて使用される陳列用台紙であって、
使用時において段状に並ぶように配置される複数の陳列物保持部と、
該陳列物保持部毎に左右一対、それぞれ上下方向に延びるように形成された切り込みと、を有し、
各陳列物保持部において、前記左右の切り込みで挟まれた台紙部分は、それぞれ左右方向に延びる上下一対の折り目に沿って段状に折り込むことで、該上側の折り目よりも上側部分からなり使用時において略鉛直方向に沿って配設される後方支持部と、前記上側の折り目よりも下側部分からなり使用時において前記後方支持部の下端から前面側に向かって延びるように配設される底面支持部とに区分され、
各陳列物保持部において、左右方向において前記左右の切り込みよりも外側の台紙部分は、それぞれ左右方向に延びる上下一対の折り目に沿って段状に折り込むことで、該下側の折り目よりも下側部分からなり使用時において部分的に前記後方支持部に対向配置される前方支持部と、前記下側の折り目よりも上側部分からなり使用時において前記前方支持部の上端から後面側に向かって延びるように配設される側方支持部とに区分され、
少なくとも１つの前記陳列物保持部は、前記側方支持部に折り目を介して左右方向外側に連なる突出片と、上下方向に細長く延びるように前記前方支持部に穿設された係止用孔とを有し、
前記突出片は、前記前方支持部と前記側方支持部との間に形成される折り曲げ角度が所定角度であるときに該折り曲げ角度が維持されるように前記係止用孔に係止される爪部を備え、
該爪部と前記係止用孔との係止状態において、
前記突出片は、該突出片と前記側方支持部との間の前記折り目に沿って下側へ略直角に折り曲げられ且つ前記前方支持部に略直交する面に沿って配置された状態となり、且つ、
前記爪部は、前記突出片の前辺部の下端部から前面側且つ上方へ延びるように配置され、且つ、
前記爪部の基部は、該爪部と前記前辺部との間のくぼみ部において前記係止用孔の上縁部に係止されるように構成されていることを特徴とする。
【手続補正書】
【提出日】平成24年4月20日(2012.4.20)
【手続補正１】
【補正対象書類名】特許請求の範囲
【補正対象項目名】全文
【補正方法】変更
【補正の内容】
【特許請求の範囲】
【請求項１】
１枚のシートを折り曲げることで組み立てられ、組み立てられた状態において吊り下げられて使用される陳列用台紙であって、
使用時において段状に並ぶように配置される複数の陳列物保持部と、
該陳列物保持部毎に左右一対、それぞれ上下方向に延びるように形成された切り込みと、を有し、
各陳列物保持部において、前記左右の切り込みで挟まれた台紙部分は、それぞれ左右方向に延びる上下一対の折り目に沿って段状に折り込むことで、該上側の折り目よりも上側部分からなり使用時において略鉛直方向に沿って配設される後方支持部と、前記上側の折り目よりも下側部分からなり使用時において前記後方支持部の下端から前面側に向かって延びるように配設される底面支持部とに区分され、
各陳列物保持部において、左右方向において前記左右の切り込みよりも外側の台紙部分は、それぞれ左右方向に延びる上下一対の折り目に沿って段状に折り込むことで、該下側の折り目よりも下側部分からなり使用時において部分的に前記後方支持部に対向配置される前方支持部と、前記下側の折り目よりも上側部分からなり使用時において前記前方支持部の上端から後面側に向かって延びるように配設される側方支持部とに区分され、
少なくとも１つの前記陳列物保持部は、前記側方支持部に折り目を介して左右方向外側に連なる突出片と、上下方向に細長く延びるように前記前方支持部に穿設された係止用孔とを有し、
該係止用孔の左右方向内側縁部は上下方向に延設され、
前記係止用孔の上縁部は左右方向内側に向かって上方へ傾斜した方向に延設され、
前記係止用孔の前記左右方向内側縁部の上端と前記上縁部の上端との間に鋭角のコーナー部が形成され、
前記突出片は、前記前方支持部と前記側方支持部との間に形成される折り曲げ角度が所定角度であるときに該折り曲げ角度が維持されるように前記係止用孔に係止される爪部を備え、
該爪部と前記係止用孔との係止状態において、
前記突出片は、該突出片と前記側方支持部との間の前記折り目に沿って下側へ略直角に折り曲げられ且つ前記前方支持部に略直交する面に沿って配置された状態となり、且つ、
前記爪部は、前記突出片の前辺部の下端部から前面側且つ上方へ延びるように配置され、且つ、
前記爪部の基部は、該爪部と前記前辺部との間のくぼみ部において前記係止用孔の上縁部の前記コーナー部に係止されるように構成されていることを特徴とする陳列用台紙。
【手続補正２】
【補正対象書類名】明細書
【補正対象項目名】００１３
【補正方法】変更
【補正の内容】
【００１３】
上記課題を解決するため、本発明に係る陳列用台紙は、
１枚のシートを折り曲げることで組み立てられ、組み立てられた状態において吊り下げられて使用される陳列用台紙であって、
使用時において段状に並ぶように配置される複数の陳列物保持部と、
該陳列物保持部毎に左右一対、それぞれ上下方向に延びるように形成された切り込みと、を有し、
各陳列物保持部において、前記左右の切り込みで挟まれた台紙部分は、それぞれ左右方向に延びる上下一対の折り目に沿って段状に折り込むことで、該上側の折り目よりも上側部分からなり使用時において略鉛直方向に沿って配設される後方支持部と、前記上側の折り目よりも下側部分からなり使用時において前記後方支持部の下端から前面側に向かって延びるように配設される底面支持部とに区分され、
各陳列物保持部において、左右方向において前記左右の切り込みよりも外側の台紙部分は、それぞれ左右方向に延びる上下一対の折り目に沿って段状に折り込むことで、該下側の折り目よりも下側部分からなり使用時において部分的に前記後方支持部に対向配置される前方支持部と、前記下側の折り目よりも上側部分からなり使用時において前記前方支持部の上端から後面側に向かって延びるように配設される側方支持部とに区分され、
少なくとも１つの前記陳列物保持部は、前記側方支持部に折り目を介して左右方向外側に連なる突出片と、上下方向に細長く延びるように前記前方支持部に穿設された係止用孔とを有し、
該係止用孔の左右方向内側縁部は上下方向に延設され、
前記係止用孔の上縁部は左右方向内側に向かって上方へ傾斜した方向に延設され、
前記係止用孔の前記左右方向内側縁部の上端と前記上縁部の上端との間に鋭角のコーナー部が形成され、
前記突出片は、前記前方支持部と前記側方支持部との間に形成される折り曲げ角度が所定角度であるときに該折り曲げ角度が維持されるように前記係止用孔に係止される爪部を備え、
該爪部と前記係止用孔との係止状態において、
前記突出片は、該突出片と前記側方支持部との間の前記折り目に沿って下側へ略直角に折り曲げられ且つ前記前方支持部に略直交する面に沿って配置された状態となり、且つ、
前記爪部は、前記突出片の前辺部の下端部から前面側且つ上方へ延びるように配置され、且つ、
前記爪部の基部は、該爪部と前記前辺部との間のくぼみ部において前記係止用孔の上縁部の前記コーナー部に係止されるように構成されていることを特徴とする。